(57)【要約】【課題】耐寒性に優れる冷凍食品用容器の容器本体を提供すること。【解決手段】内側に冷凍食品を収納する冷凍食品用容器の容器本体であって、前記容器本体は、少なくとも、ポリエチレンテレフタレート共重合体を含み前記容器本体の形状を構成する基材と、前記基材の内側にポリエチレンテレフタレート共重合体を積層して形成される内側層と、前記基材の外側にポリエチレンテレフタレート共重合体を積層して形成される外側層と、を有することを特徴とする。【選択図】図１
0003180802.tif 000002
【実用新案登録請求の範囲】
【請求項１】
内側に冷凍食品を収納する冷凍食品用容器の容器本体であって、
前記容器本体は、少なくとも、
ポリエチレンテレフタレート共重合体を含み前記容器本体の形状を構成する基材と、
前記基材の内側にポリエチレンテレフタレート共重合体を積層して形成される内側層と、
前記基材の外側にポリエチレンテレフタレート共重合体を積層して形成される外側層と、
を有することを特徴とする冷凍食品用容器の容器本体。
【請求項２】
前記容器本体は、
側面と底面とが一体的に成形され、
上部に冷凍食品を取り出すための開口を有し、
前記側面は前記底面よりも厚みが薄いことを特徴とする請求項１に記載の冷凍食品用容器の容器本体。
【請求項３】
前記基材は、非晶質ポリエチレンテレフタレートを含む工程内再生材を用いることを特徴とする請求項１又は請求項２に記載の冷凍食品用容器の容器本体。
【請求項４】
前記容器本体は、ポリエチレンテレフタレート共重合体を、重量比で５９％以上６１％以下含むことを特徴とする請求項１乃至請求項３のいずれか１項に記載の冷凍食品用容器の容器本体。
【考案の詳細な説明】
【技術分野】
【０００１】
本考案は冷凍食品等低温の製品を収納する冷凍食品用容器の容器本体に関する。
【背景技術】
【０００２】
従来、氷等の低温度の物体を内部に保管し、低温度の環境で保管するための容器として、成形しやすく、量販性に好適であることからプラスチック容器が用いられてきた。そして、このプラスチック容器の素材としては、剛性が高く断熱性に優れるポリスチレン等の樹脂を単体で使用したものが多かった。
【０００３】
しかしながら、ポリスチレンは柔軟性に乏しく、耐冷温度も比較的高いという性質がある。このため、前記プラスチック容器に氷等の低温の物体を収納して、冷凍庫等の低温環境下で保管すると、容器が常温時と比較して脆くなる。従って、この容器に氷ブロックを入れて低温環境下で保存しつつ運搬すると、運搬途中の衝撃により容器表面にひび割れが生じたり、容器が破損したりすることがあった。また、内容物の氷に容器の臭いがつくことがあった。
【０００４】
そこで、柔軟性があり耐寒性に優れ内容物の品質を保つポリエチレンテレフタレート共重合体（ＰＥＴ−Ｇ）を用いた氷用容器が用いられてきた（例えば、特許文献１参照）。特許文献１の容器はカップ状の容器である。
【先行技術文献】
【特許文献】
【０００５】
【特許文献１】特開２００３−２６１１２５
【考案の概要】
【考案が解決しようとする課題】
【０００６】
しかしながら、氷など硬度の高い製品をカップ状の容器に収納する場合、成形の際に、容器の底部に比べて側部を薄く成形すると、ポリエチレンテレフタレート共重合体も比例して薄くなる。このため、ポリエチレンテレフタレート共重合体の性能が薄れるという問題があった。
【０００７】
本考案の目的は、耐寒性及び剛性に優れる冷凍食品用容器の容器本体を提供することである。
【課題を解決するための手段】
【０００８】
上記目的を達成するため、本考案の第１構成は、内側に冷凍食品を収納する冷凍食品用容器の容器本体であって、前記容器本体は、少なくとも、ポリエチレンテレフタレート共重合体を含み前記容器本体の形状を構成する基材と、前記基材の内側にポリエチレンテレフタレート共重合体を積層して形成される内側層と、前記基材の外側にポリエチレンテレフタレート共重合体を積層して形成される外側層と、を有することを特徴とする冷凍食品用容器の容器本体である。
【０００９】
第２構成として、前記容器本体は、側面と底面とが一体的に成形され、上部に冷凍食品を取り出すための開口を有し、前記側面は前記底面よりも厚みが薄いこととしてもよい。
【００１０】
第３構成として、前記基材は、非晶質ポリエチレンテレフタレートを含む工程内再生材を含むこととしてもよい。
【００１１】
第４構成として、前記容器本体は、ポリエチレンテレフタレート共重合体を、重量比で５９％以上６１％以下含むこととしてもよい。
【考案の効果】
【００１２】
第１構成によれば、内側層、外側層に加え、基材にもポリエチレンテレフタレート共重合体が含まれることにより、より耐寒性及び剛性に優れる容器本体とすることができる。
【００１３】
第２構成のように、側面が底面よりも薄い構成となったとしても、ポリエチレンテレフタレート共重合体を基材に混入することで耐寒性が保たれる。
【００１４】
第３構成のように、基材として非晶質ポリエチレンテレフタレートを含む工程内再生材を用いた場合でも、耐寒性が保たれる。
【００１５】
第４構成によれば、最適なポリエチレンテレフタレート共重合体の配合比で容器本体を構成することで、更に耐寒性及び剛性に優れる容器本体とすることができる。
【図面の簡単な説明】
【００１６】
【図１】冷凍食品用容器の容器本体の説明図。
【考案を実施するための形態】
【００１７】
図を用いて本考案の説明をする。図１は冷凍食品用容器の容器本体の説明図である。（ａ）が容器本体の側面図、（ｂ）が容器本体の側面の断面図、（ｃ）が容器本体の底面の断面図である。
【００１８】
図１に示すように、冷凍食品用容器の容器本体１は、冷凍食品Ｃを取り出すための上部の開口Ｍと、側面１Ａと、底面１Ｂとが一体的に成形されている。容器本体１の内側には、冷凍食品Ｃを収納する。本実施形態では冷凍食品Ｃとして、例として氷を図示したが、これに限るものではない。なお、本実施形態の容器本体１は、摂氏マイナス３０度前後の環境で使用可能な容器であり、本考案者らは試行錯誤の結果、下記構成を開発したものである。
【００１９】
ここで、側面１Ａは底面１Ｂを延ばした構成であるため、側面１Ａは底面１Ｂよりも断面の厚みが薄く形成されることになる。すると、底面１Ｂは側面１Ａよりも硬度が高くなり、容器本体１の姿勢を保つことに適したものとなる。一方、側面１Ａは底面１Ｂより硬度が低くなり、可撓性を有するため、側面１Ａを保持しやすくなる。とりわけ、冷凍食品用容器においては、低温により保存される関係上、霜等が側面１Ａに付着し、滑りやすい場合があるため、容器本体１の側面１Ａに可撓性を有する構成とすることで、保持性能が向上する。
【００２０】
次に、容器本体１を構成する各層の詳細構成について説明する。
【００２１】
容器本体１は、少なくとも、基材１０の内側と外側を、内側層２０と外側層３０とで覆う３層構造である。ここで、基材１０と内側層２０及び外側層３０との比率は、（基材１０）：（内側層２０及び外側層３０）＝０．８５：０．１５であることが好ましい。
【００２２】
基材１０の材質は、少なくともポリエチレンテレフタレート共重合体（ＰＥＴ−Ｇ）を所定の割合だけ含むことを特徴とする。基材１０を構成する材質として代表的なものは非晶質ポリエチレンテレフタレート（Ａ−ＰＥＴ）であり、また、ポリエチレンテレフタレート共重合体と非晶質ポリエチレンテレフタレートで構成される工程内再生材を用いることとしてもよい。ここで、工程内再生材とは、自社工程内で製品を製造する過程で型抜きを終えた端材などとして発生する再生原料であって、品質／純度を保証できるものをいう。
【００２３】
基材１０の内側には、ポリエチレンテレフタレート共重合体を積層した内側層２０が形成される。一方、基材１０の外側には、ポリエチレンテレフタレート共重合体を積層した外側層３０が形成される。
【００２４】
成形方法は、樹脂成型のいずれの成形方法であってもよい。基材１０の厚みが最も厚いため、基材１０の形状によって容器本体１の形状が構成されることとなる。
【００２５】
ここで、容器本体１の成形工程において、側面１Ａを底面１Ｂよりも薄く延ばすこととなるため、内側層２０及び外側層３０の厚みも薄くなる。すると、耐寒性を有するポリエチレンテレフタレート共重合体の厚みも薄くなり、効果も低下する。しかしながら、本実施形態のように、基材１０にポリエチレンテレフタレート共重合体を混入させることで、耐寒性を向上させることができる。
【００２６】
容器本体１（基材１０、内側層２０、外側層３０を総合したもの）に混入させるポリエチレンテレフタレート共重合体の配合比は、重量比で５９％以上６１％以下含むことが好ましい。
【００２７】
より具体的には、基材についてはポリエチレンテレフタレート共重合体と非晶質ポリエチレンテレフタレートを３０％ずつ、工程内再生材を４０％ずつで構成し、工程内再生材のポリエチレンテレフタレート共重合体の配合が少ない場合には、ポリエチレンテレフタレート共重合体を追加して、上述の重量比５９％以上６１％以下含むように構成する。
【００２８】
上述のように構成すれば、最適なポリエチレンテレフタレート共重合体の配合比で容器本体を構成することができ、更に耐寒性と共に容器として十分な剛性を有し、低温の製品用の容器として最適な容器本体１とすることができる。
【００２９】
なお、本実施形態においては、基材１０を単層で構成するものを例示したが、これに限るものではない。例えば、基材１０を複数の層で形成し、そのうちの１層をポリエチレンテレフタレート共重合体の層とするものでもよい。
【産業上の利用可能性】
【００３０】
本考案は低温の製品を収納する容器の容器本体に利用することができる。
【符号の説明】
【００３１】
Ｃ…冷凍食品
１…容器本体
１Ａ…側面
１Ｂ…底面
１０…基材
２０…内側層
３０…外側層
【図１】
0003180802.tif 000003